(57)【特許請求の範囲】
【請求項１】
回転翼を備えたプロペラ本体と、前記プロペラ本体を回転可能に支持し、かつ前記プロペラ本体を軸方向に移動可能とする回転軸とを備えた集魚器であって、
前記プロペラ本体は１枚の金属板、又は樹脂一体成型品からから構成され、
前記プロペラ本体の前後方向の両端には、前記金属板の一部を屈曲させ、かつ前記回転軸が挿通される孔を有する先端ストッパ及び後端ストッパが形成され、
前記回転軸には、前記プロペラ本体と当接する回転規制部を有し、
前記プロペラ本体と前記回転軸は、
前記プロペラ本体が前記回転軸に対して自由に回転する第一位置と、
前記プロペラ本体と前記回転規制部とが当接し、前記プロペラ本体と前記回転軸とが係合して前記プロペラ本体が前記回転軸に対して回転不能となる第二位置と、に相対移動可能に連結し、
前記回転規制部は、前記回転軸の軸方向中間位置であって、前記回転軸の一部を円弧状、又は三角形状、又は四角形状に屈曲させて形成し、
前記プロペラ本体の中央部には、前記プロペラ本体が前記回転規制部と当接せずに自由回転可能となる円形又は楕円形の回転用空間を形成している、
ことを特徴とする集魚器。
【請求項２】
前記先端ストッパ及び前記後端ストッパは、前記プロペラ本体に対し互いに逆方向、又は互いに同方向に屈曲させている、
ことを特徴とする請求項１に記載の集魚器。
【請求項３】
前記回転規制部は、前記回転軸の一部を水平方向の両方向に突出して屈曲させて形成している、
ことを特徴とする請求項１又は２に記載の集魚器。
【請求項４】
前記プロペラ本体には、前記回転用空間に連続し、かつ前記回転規制部の一部が挿入可能な回転停止部が更に形成されている、
ことを特徴とする請求項１又は２に記載の集魚器。
【請求項５】
前記プロペラ本体には、前記回転用空間の前後両端から一定の範囲にわたり、回転軸の一部を受け入れるテーパー状の凹部が形成されている、
ことを特徴とする請求項１又は２に記載の集魚器。
【請求項６】
回転翼を備えたプロペラ本体と、前記プロペラ本体を回転可能に支持し、かつ前記プロペラ本体を軸方向に移動可能とする回転軸とを備えた集魚器であって、
前記プロペラ本体は１枚の金属板、又は樹脂一体成型品から構成され、
前記プロペラ本体の前後方向の両端には、前記回転軸が挿通される孔を有する先端ストッパ及び後端ストッパが突出形成され、
前記回転軸には、前記プロペラ本体と当接する回転規制部を有し、
前記プロペラ本体と前記回転軸は、
前記プロペラ本体が前記回転軸に対して自由に回転する第一位置と、
前記プロペラ本体と前記回転規制部とが当接し、前記プロペラ本体と前記回転軸とが係合して前記プロペラ本体が前記回転軸に対して回転不能となる第二位置と、に相対移動可能に連結し、
前記プロペラ本体の中央部には、前記プロペラ本体が前記回転規制部と当接せずに自由回転可能となる円形又は楕円形の回転用空間を形成し、
前記プロペラ本体には、前記回転用空間に連続し、かつ前記回転規制部の一部が挿入可能な回転停止部が更に形成され、
前記回転規制部は、断面十字状の４方向に突出した凸条部を有し、前記凸条部の全部又は一部が前記回転停止部と係合する、
ことを特徴とする集魚器。
【請求項７】
前記先端ストッパ及び前記後端ストッパは、前記プロペラ本体に対し互いに逆方向、又は互いに同方向に突出している、
ことを特徴とする請求項６に記載の集魚器。
【請求項８】
前記プロペラ本体には、前記回転用空間の前後両端から一定の範囲にわたり、前記回転軸の一部を受け入れるテーパー状の凹部が形成されている、
ことを特徴とする請求項６又は７に記載の集魚器。
【発明の詳細な説明】
【技術分野】
【０００１】
本発明は、水中や水面において回転することで集魚効果を高める回転体（通称プロペラ）を備えた集魚器に関する。
【背景技術】
【０００２】
従来から、水中や水面において回転するプロペラを備えた集魚器は、釣り道具として提供されている。プロペラが水中で回転することで発生する特殊な音による刺激、或いはプロペラが回転する視覚的な刺激が、好奇心の強い魚を誘き寄せる効果を発揮するからである。  
【０００３】
プロペラを備えた集魚器の代表的なものとしてバズベイトルアーがある。バズベイトルアーの典型的な形状としては、「く」の字型に成形された金属製のアームと、当該アームの一方端に設けられ魚頭に似せて成形されたヘッド部及び該ヘッド部に設けられた釣針と、当該アームの他方端に設けられたプロペラ部とを有している（図１２参照）。  
【０００４】
このようなバズベイトルアーは、キャスティング時（ルアーの投げ入れ時）に、プロペラ部及びヘッド部側（ルアー後方側）をキャスティング方向に向けた姿勢で飛翔させ、着水後に釣糸を引き寄せる（巻き取る）ことによって、釣糸が係止されたアーム側（ルアー前方側）を進行方向に向けて水中を移動させる。この時、プロペラ部は、進行方向の水の抵抗を受けることにより回転し、当該プロペラの回転に伴って発生する独特な音やプロペラが回転する姿によって、好奇心の強い魚を誘き寄せることが出来る。  
【０００５】
しかし、上記したプロペラを有する集魚器をキャスティングする際、プロペラが空中で自由に回転してしまうと大きな抵抗が生じてしまい、その結果、飛距離が落ちてしまうことから、キャスティング時にはプロペラが自由に回転しないような工夫がなされた集魚器が提案されている。  たとえば特許文献１（日本国特開平１１−２８９９２０号公報）には、図１２に示すように、アーム（１）に対して、アーム（１）の軸方向に移動可能なプロペラ本体（２）の前方に半球体状のアダプター（１１）を設け、プロペラ本体が前方（図の左側）に移動した際に、当該アダプター（１１）内の突起とプロペラ本体の凹部が係合することによって、キャスティング時にはアーム（１）に対するプロペラの自由回転を止めることができるようにしている。
【先行技術文献】
【特許文献】
【０００６】
【特許文献１】日本国特開平１１−２８９９２０号公報
【発明の概要】
【発明が解決しようとする課題】
【０００７】
しかしながら、キャスティングによるルアーの着水時には水によって大きな衝撃を受けるため、特許文献１に開示された技術では、アダプター（１１）が衝撃によって破損しやすいという問題がある。アダプター（１１）を破損しにくいように頑丈な金属部材等に変更しようとすると、重量が増加してキャスティングの距離を落とす原因となる。  
【０００８】
また、特許文献１に開示された技術では、水中や水面に浮遊物がある場合、アダプター（１１）が浮遊物に引っ掛かりやすい、という問題がある。  
【０００９】
更に、特許文献１には、アダプターを設けない構造の技術も開示されているが、プロペラ本体の構造が複雑であり、製造コスト、組立労力の問題もある。  
【００１０】
本発明が解決しようとする課題は、プロペラを備えた集魚器において、シンプルな構造でありながら、キャスティング時に、回転軸に対するプロペラの自由な回転を停止させるとともに、着水後はプロペラを自由に回転させられる集魚器を提供することにある。  なお、キャスティング時にプロペラが余計に回転することで飛距離が落ちる原因は、ゴルフボールと同じであり、適度な回転は方向性を保つために必要であるが、それを超えて回転すると、大きな抵抗となって飛距離が落ちるため、キャスティング時に、プロペラが回転軸に対する自由な回転を規制することが必要となるものである。なお、ルアーそのものは釣糸に繋がれていることから、プロペラが受ける風の影響で多少の回転は発生し、これによって方向性を保つことができる。
【課題を解決するための手段】
【００１１】
本願発明は、上記した従来技術が有する課題を解決するものであり、
回転翼を備えたプロペラ本体と、前記プロペラ本体を回転可能に支持し、かつ前記プロペラ本体を軸方向に移動可能とする回転軸とを備えた集魚器であって、前記プロペラ本体は１枚の金属板、又は樹脂一体成型品から構成され、前記プロペラ本体の前後方向の両端には、前記金属板の一部を屈曲させ、かつ前記回転軸が挿通される孔を有する先端ストッパ及び後端ストッパが形成され、前記回転軸には、前記プロペラ本体と当接する回転規制部を有し、前記プロペラ本体と前記回転軸は、前記プロペラ本体が前記回転軸に対して自由に回転する第一位置と、前記プロペラ本体と前記回転規制部とが当接し、前記プロペラ本体と前記回転軸とが係合して前記プロペラ本体が前記回転軸に対して回転不能となる第二位置と、に相対移動可能に連結し、前記回転規制部は、前記回転軸の軸方向中間位置であって、前記回転軸の一部を円弧状、又は三角形状、又は四角形状に屈曲させて形成し、前記プロペラ本体の中央部には、前記プロペラ本体が前記回転規制部と当接せずに自由回転可能となる円形又は楕円形の回転用空間を形成している、ことを特徴とする。
【００１２】
また本願発明は、回転翼を備えたプロペラ本体と、前記プロペラ本体を回転可能に支持し、かつ前記プロペラ本体を軸方向に移動可能とする回転軸とを備えた集魚器であって、前記プロペラ本体は１枚の金属板、又は樹脂一体成型品から構成され、前記プロペラ本体の前後方向の両端には、前記回転軸が挿通される孔を有する先端ストッパ及び後端ストッパが突出形成され、前記回転軸には、前記プロペラ本体と当接する回転規制部を有し、前記プロペラ本体と前記回転軸は、前記プロペラ本体が前記回転軸に対して自由に回転する第一位置と、前記プロペラ本体と前記回転規制部とが当接し、前記プロペラ本体と前記回転軸とが係合して前記プロペラ本体が前記回転軸に対して回転不能となる第二位置と、に相対移動可能に連結し、前記プロペラ本体の中央部には、前記プロペラ本体が前記回転規制部と当接せずに自由回転可能となる円形又は楕円形の回転用空間を形成し、前記プロペラ本体には、前記回転用空間に連続し、かつ前記回転規制部の一部が挿入可能な回転停止部が更に形成され、前記回転規制部は、断面十字状の４方向に突出した凸条部を有し、前記凸条部の全部又は一部が前記回転停止部と係合する、ことを特徴とする。  
【発明の効果】
【００１３】
本発明によれば、プロペラ本体を金属の一枚板、又は樹脂一体成型品で構成する簡単な構造でありながら、回転軸の一部を円弧状、又は三角形状、又は四角形状に屈曲させて形成し、キャスティング時に、回転軸に対するプロペラの自由な回転を確実に停止させるとともに、着水後はスムーズにプロペラを自由に回転させることが出来る集魚器を提供することができる。
【００１４】
また本願発明によれば、プロペラ本体を金属の一枚板、又は樹脂成型品で一体に構成する簡単な構造でありながら、回転規制部を断面十字状の４方向に突出した凸条部とし、凸条部の全部又は一部が回転停止部と係合することにより、キャスティング時に、回転軸に対するプロペラの自由な回転を確実に停止させるとともに、着水後はスムーズにプロペラを自由に回転させることが出来る集魚器を提供することができる。
【図面の簡単な説明】
【００１５】
【図１】本発明の第一の実施形態を示す斜視図である。
【図２】本発明の第一の実施形態を示す平面図である。
【図３】本発明の第一の実施形態の各種変形例を示す断面図である。
【図４】本発明の第二の実施形態を示す平面図である。
【図５】本発明の第二の実施形態を示す平面図である。
【図６】本発明の第二の実施形態の変形例１を示す斜視図である
【図７】本発明の第二の実施形態の変形例２を示す斜視図である。
【図８】本発明の第二の実施形態の変形例２を示す平面図である。
【図９】本発明の第二の実施形態の変形例３を示す平面図である。
【図１０】本発明の第二の実施形態の変形例４を示す平面図である。
【図１１】本発明の第三の実施形態を示す斜視図である。
【図１２】従来技術を示す図である。
【発明を実施するための形態】
【００１６】
以下、本願発明の各種の実施形態について詳細に説明する。なお、以下に示す各実施形態は、いずれも図１２に示した従来技術のように、「く」状に分離したアームの一方側にプロペラ本体を、他方側にルアーを設けた構造ではなく、一本の軸線上にプロペラ本体とルアーを順番に並べた構造の例を示しているが、当然ながら、従来技術の「く」状に分離したアームの一方側に設けるプロペラ本体に採用しても良いことは言うまでもない。  
【００１７】
図１〜図３は、本願発明の第一実施形態である。プロペラ本体２０は外形がほぼ三角形状であり、一枚の金属板で構成され、左右の後端の一部を折り曲げて回転翼２１を形成し、更に、先端部と後端部の一部を屈曲させて先端ストッパ２２と後端ストッパ２３を形成しており、当該先端ストッパ２２と後端ストッパ２３には回転軸３０を挿通する孔が形成されている。  
【００１８】
先端ストッパ２２と後端ストッパ２３の屈曲方向は、図示のごとく、プロペラ本体２０の平面に対して１８０度反対方向であり、回転軸３０は、プロペラ本体２０の中間位置に構成した長孔６０を貫通し、側面視においてプロペラ本体２０を斜め方向に横切る（貫通する）ように設けられている。  
【００１９】
プロペラ本体２０は、回転軸３０に対して回転可能で、かつ回転軸３０の軸方向に移動可能に支持されている。なお、回転軸３０をプロペラ本体２０に対し平面視斜め方向に横切るように設置するのは、全体のバランスを取るためであるが、先端ストッパ２２と後端ストッパ２３の屈曲方向を同じ方向とし、回転軸３０をプロペラ本体２０の平面に対して平行となるように設置しても良い。  
【００２０】
先端ストッパ２２には、回転軸３０に設けた回転規制部３２（後述）の突起５０と係合する孔５１が設けられており、突起５０と孔５１が係合することにより、プロペラ本体２０が回転軸３０に対して自由な回転が出来なくなるようにしている。本第一実施形態における突起５０と孔５１は、各２個で構成しているが、各１個でも良いし、各３個以上で構成しても良い。  
【００２１】
回転軸３０は、一本の金属線或いは金属棒によって形成したものであり、一端に釣糸４０を接続する釣糸接続部を設け、この釣糸接続部に連接するように、上記した回転規制部３２が固定されている。また他端側には第一ストッパ３３が固定され、当該第一ストッパ３３とプロペラ本体２０との間に、球体のスペーサ３６を介在させることによって、プロペラ本体２０の回転を円滑にしている。なお、このスペーサ３６は特に設けなくても良い。  
【００２２】
プロペラ本体２０の中央位置に構成する長孔６０は、回転軸３０がプロペラ本体２０に対し、平面視斜め方向に横切る（貫通する）ことができ、回転軸３０とプロペラ本体２０とが当接しない長さに設定している。また長孔６０の軸方向前後には、回転軸３０の一部を受け入れる凹部６１、６２が所定長さ形成されている。凹部６１、６２は、プレス加工により形成される。なお、長孔６０が十分な長さを有する場合には、凹部６１、６２は、特に必要なく、また凹部６１、６２に代えて、長孔６０の前後端部を傾斜面に形成してもよい。図中３９は釣針、３８は釣針を隠すためのスカートである。
【００２３】
以上説明した本実施形態に係る集魚器をキャスティングした場合の動作について説明する。まず、釣り人が釣竿を構えた状態では、釣糸及び集魚器は重力によって下向きに垂れ下がっており、集魚器のプロペラ本体２０と回転軸３０との位置関係は、図２（ａ）に示すとおり、プロペラ本体２０が回転軸３０に対して自由に回転可能な第一の位置関係（第一位置）となっている。  
【００２４】
次に、釣り人がキャスティングを開始すると、プロペラ本体２０は図２で示す上方側に動き出し回転翼２１が空気抵抗を受け、プロペラ本体２０は自由回転を開始する。その後、キャスティングされた集魚器が釣糸とともに釣竿の先端を超えると、釣り針側が前方を向く姿勢に変わる。即ち、図２で示す下方側が前方を向く姿勢に変わり、これによってプロペラ本体２０は、キャスティング開始時とは逆向きの抵抗を受けることにより、プロペラ本体２０と回転軸３０との相対的位置関係が変化し始め、プロペラ本体２０は回転軸３０の回転規制部３２側に移動する。
【００２５】
そして、プロペラ本体２０と回転軸３０との位置関係は、図２（ａ）に示す第一の位置関係（第一位置）から、図２（ｂ）に示す第二の位置関係（第二位置）に変わり、この第二の位置関係では、回転規制部３２に設けた突起５０と、プロペラ本体２０の先端ストッパ２２に設けた孔５１が係合することで、プロペラ本体２０は回転軸３０に対して自由に回転することができなくなることで空気抵抗が減少し、集魚器をより遠くまで飛ばすことが出来るようになる。  
【００２６】
なお、図１、２から明かなとおり、ルアー（集魚器）そ
のものは回転軸３０の先端で釣糸４０に繋がっているため、第二の位置関係においても、プロペラ本体２０は釣糸との関係である程度回転するものの、回転軸３０との関係では自由な回転が規制されるため、より遠くへ飛ばすことができる。  
【００２７】
集魚器が着水した後、釣り人はリールによって釣糸４０を巻き取り操作する。すると、釣糸４０に接続された回転軸３０がプロペラ本体２０に対して相対的に前方へ移動し、プロペラ本体２０は回転軸３０に沿って後退し、プロペラ本体２０と回転軸３０との位置関係は、再び図２（ａ）に示す第一の位置関係になる。これによりプロペラ本体２０は回転軸３０に対して自由に回転することができるようになり、プロペラ本体２０の回転によって発生する特殊な音やプロペラ本体２０の回転動作が、好奇心旺盛な魚を誘き寄せることになる。  
【００２８】
図３は、本第一実施形態における、回転規制部３２とプロペラ本体２０との第二の位置関係を実現するための係合手段の各種変形例を示している。図３（ａ）に示すものは、回転規制部３２の先端ストッパ２２側の端面及び先端ストッパ２２の外面を、それぞれ摩擦面５２に形成しており、当該摩擦面５２どうしが接触することで、プロペラ本体２０が回転軸３０に対する自由な回転を規制することができる。
【００２９】
図３（ｂ）に示すものは、回転規制部３２の先端ストッパ２２側の端面に凸条部５３を形成し、先端ストッパ２２の外面に、前記凸条部５３を受け入れる凹条部５４を形成することで、凸条部５３と凹条部５４が係合し、プロペラ本体２０が回転軸３０に対する自由な回転を規制することができる。
【００３０】
また、図３（ｃ）に示すものは、回転規制部３２の外形が断面多角形であり、先端ストッパ２２の外面に、回転規制部３２の全部又は一部が挿通可能で、かつ内径形状が回転規制部３２の外形と同一形状の断面多角形の孔を有する回転規制部受入部材７０を装着している例である。回転規制部受入部材７０は、樹脂又は金属で構成され、先端ストッパ２２の外面に接着剤により固定されている。本変形例では、回転規制部受入部材７０の内径形状は回転規制部３２の外形と同一形状の断面多角形の孔としているが、必ずしも同一形状である必要はなく、回転が規制されるのであればどのような形状であっても良い。例えば、回転規制部３２の外形を正方形とし、回転規制部受入部材７０の内径形状を六角形や八角形の孔としても良い。  
【００３１】
なお、図３に示す以外にも、回転規制部３２とプロペラ本体２０とが係合し、プロペラ本体２０が回転軸３０に対して自由な回転が出来なくなる構成であれば、どのような係合手段であっても良い。  
【００３２】
図４〜８は、本願発明の第二の実施形態を示す図である。  第二実施形態が第一実施形態と相違する点は、回転規制部３２が回転軸３０の中間部分を屈曲させて構成し、プロペラ本体２０の中央部に、上記回転規制部３２を受け入れる回転用空間２４を形成している点である。  
【００３３】
図４、５に示すとおり、回転軸３０は、一本の金属線又は金属棒によって形成したものであり、その軸方向の中間位置に、回転規制部３２を備えている。回転規制部３２は、回転軸の途中を半円形状に屈曲させて（折り曲げて）形成したものである。なお、本実施形態における回転規制部３２は、回転軸の途中で半円形をなすように折り曲げて形成しているが、半円形に限られるものではなく、たとえば三角形状や四角形状に曲げてもよい。また、回転軸３０とは別部材として構成し、回転軸３０に固定してもよい。回転軸となる金属線は、ある程度の弾性を有するものであることが望ましく、回転規制部３２を折り曲げて形成する場合には、その回転規制部３２の形状が負荷によって容易に変形せず、かつ負荷変形しても初期形状に容易に復帰する素材であることが望ましい。  
【００３４】
プロペラ本体２０には、プロペラ本体２０の回転時に、前記回転軸３０に形成した回転規制部３２とプロペラ本体２０とが当接せず、プロペラ本体２０と回転軸３０とが、相対的に自由に回転するための回転用空間２４が打抜き形成されている。この回転用空間２４は、円形又は楕円形であり、その直径（Ｄ１）は、回転規制部３２の直径（Ｄ２）よりも大きく設定されている。  
【００３５】
またプロペラ本体２０には、回転軸３０との当接、接触を防止するため、第一実施形態と同様に、回転用空間２４の中心端部から一定の範囲にわたり、テーパー状の凹部６１がプレス加工されている。
【００３６】
前記回転用空間２４における第一ストッパ３３側には、前記回転規制部３２と当接することで、プロペラ本体２０と回転軸３０とが、相対的に自由に回転できなくするための回転止め用溝２５が設けられている。この回転止め用溝２５の幅は、回転軸３０の直径よりも大きく、回転規制部３２の直径（Ｄ２）よりも小さく、また、回転止め用溝２５の深さは回転規制部３２の直径（Ｄ２）よりも小さく設定されている。また、３１は第二ストッパであり、釣糸接続部を兼用している。  
【００３７】
第二実施形態に係る集魚器をキャスティングした場合の動作については、基本的に第一実施形態のものと同じであり、詳細な説明は省略するが、本第二実施形態では、図５（ａ）に示す状態が第一の位置関係（第一位置）となっており、図５（ｂ）に示す状態が第二の位置関係（第二位置）となっている。なお、本第二実施形態では、第二の位置関係（第二位置）において、プロペラ本体２０は回転軸３０に対して約半回転（約１８０度回転）することができ、第一実施形態のようにほぼ完全に固定されるものではない。  
【００３８】
図６は、第二実施形態の変形例１を示す図である。本変形例１の回転規制部３２は断面十字形状の樹脂成形部材で構成し、回転軸３０に固定したものである。この構成によれば、４つの凸条部分の一つが回転止め用溝２５に入り込む一方、隣接する水平方向に突出した２つの凸条がプロペラ本体２０の平面上に位置することにより、第一の実施形態と同様に、プロペラ本体２０と回転軸３０とがほぼ固定された状態となり、プロペラ本体２０の自由な回転を規制することができる。なお、図６は、第二の位置関係（第二位置）にある状態を示している。  
【００３９】
図７〜１０は、第二実施形態の変形例２、変形例３、変形例４をそれぞれ示している。  当該変形例２〜４は、回転停止部２５を備えておらず、回転規制部３２がプロペラ本体２０の平面上に乗り上げることで、プロペラ本体２０の自由な回転を規制している。  
【００４０】
変形例２では、図８（ａ）に示すものが、プロペラ本体２０と回転軸３０とが相対的に自由に回転可能な第一の位置関係（第一位置）であり、図８（ｂ）に示すように、回転規制部３２がプロペラ本体２０の平面上に乗り上げ、後端ストッパ２３へ当接する位置が、プロペラ本体２０と回転軸３０とが相対的に自由に回転できない第二の位置関係（第二位置）となっている。  
【００４１】
図８（ｂ）に示すように、回転軸３０の回転規制部３２はプロペラ本体２０の平面上に乗り上げて当接する状態となるため、プロペラ本体２０は回転軸３０に対して自由に回転することができなくなる（ただし、第二実施形態と同様に約１８０度の回転は可能）。なお本変形例２の場合、回転規制部３２が後端ストッパ２３へ当接することで、第二位置が決められるため、回転軸３０の釣糸４０側に第二ストッパ３１を必ずしも設けなくてもよい。第二ストッパ３１を設けない場合、先端ストッパ２２は、ストッパとしての機能ではなく、回転軸３０の軸受けとしてのみ機能することとなる。
【００４２】
なお、本変形例２において、回転規制部３２の形状を図示のとおり三角形状としている理由は、回転規制部３２を後端ストッパ２３に対し確実に当接させるためであり、第二実施形態と同様に、半円形又は四角形状としても良いことは言うまでもない。その他構造及び使用時の動作については、基本的に第一実施形態、第二実施形態と同じであるため、詳細な説明は省略する。
【００４３】
図９は、第二実施形態の変形例３を示している。当該変形例３の構成は、変形例２をベースとしており、回転規制部３２を水平方向両方向に突出するように、回転軸３０を折り曲げたものである。この構成によれば、２つの突出部がプロペラ本体２０の平面上に位置することにより、第一実施形態及び上記変形例１と同様に、プロペラ本体２０と回転軸３０とがほぼ固定された状態となり、プロペラ本体２０の自由な回転を規制することができる。なお、図９は、第二の位置関係（第二位置）にある状態を示している。
【００４４】
図１０は、第二実施形態の変形例４を示している。本変形例４では、第二実施形態にて採用していた回転停止部としての回転止め用溝２５を採用しておらず、また、プロペラ本体２０と回転軸３０との相対的位置関係である第一位置及び第二位置の規制を、図１０（ａ）、（ｂ）に示す通り、プロペラ本体に設けた先端ストッパ２２及び後端ストッパ２３と、回転軸３０に設けた第二ストッパ３１及びスペーサ３６との当接によって実現している。  
【００４５】
なお、第二実施形態と同様に、スペーサ３６を設けずに、第一ストッパ３３と後端ストッパ２３とを直接当接するようにしても良い。また、回転軸３０に設けた第二ストッパ３１とプロペラ本体に設けた先端ストッパ２２との間に、別途、スペーサを設けても良い。その他構造及び使用時の動作については、基本的に第一実施形態、第二実施形態と同じであるため、詳細な説明は省略する。  
【００４６】
以上説明した第二実施形態及びその変形例２、４では、プロペラ本体２０は、第二の位置関係（第二位置）において、回転軸３０に対してほぼ半回転（約１８０度）の範囲で回転可能であり、第一実施形態や第二実施形態の変形例１、変形例３のように、ほぼ固定された状態とするものではないが、プロペラ本体２０の自由な回転を規制できることで、遠くに飛ばすことができる。  
【００４７】
図１１に示すものは、本願発明の第三実施形態である。  本第三実施形態は、プロペラ本体２０が樹脂により一体成形されている点で、第一、第二実施形態と相違する以外、基本的構造及び使用時の動作は、第一実施形態、第二実施形態と同じである。  
【００４８】
またプロペラ本体２０は、強度や重量を確保するために、ガラス繊維等を混入した繊維強化プラスチックとすることも出来る。また、樹脂成型時に、プロペラの回転翼部分に金属板を埋め込んで一体成形することにより、強度を高め、重量バランスを適当に取ることもできる。  
【００４９】
プロペラ本体２０を樹脂で一体成形にすることにより、金型を利用して大量生産することが容易となる一方、第一実施形態で示した図３（ｃ）の構造を実現する際、回転規制部受入部材７０を別個に作成して先端ストッパ２２に接着させるのではなく、先端ストッパ２２そのものを肉厚にして、断面多角形の回転規制部の一部又は全部を受け入れ可能な孔を直接設ければ良く、部品点数を減らし製造コストを削減し、組立作業も容易とすることができる。なお本第三実施形態の具体例としては図１１のみ例示しているが、図１〜図１１に示した１枚の金属板で構成したプロペラ本体の構造を、樹脂一体成型品として構成すれば良い。  
【００５０】
以上の各実施形態では、本願発明をバズベイト用の集魚器に適用した例を示したが、本願発明に示す構造は、バズベイト用に限らず、プロペラ等の回転部分を備えることで集魚効果を狙う全ての集魚器に採用することが可能である。
【符号の説明】
【００５１】
２０；  プロペラ本体              ２１；  回転翼２２；  先端ストッパ              ２３；  後端ストッパ２４；  回転用空間                ２５；  回転止め用溝（回転停止部）３０；  回転軸３１；  第二ストッパ（釣糸接続部を兼用）３２；  回転規制部                ３３；  第一ストッパ３４；  先端移動部                ３５；  後端移動部３６；  スペーサ３８；  針隠し用スカート          ３９；  釣り針４０；  釣糸５０；  突起                      ５１；  孔５２；  摩擦面５３；  凸条部                    ５４；  凹条部６０；  長孔                      ６１、６２；凹
部７０；  回転規制部受入部材
【図１】
0006404185.tif 000002
【図２】
0006404185.tif 000003
【図３】
0006404185.tif 000004
【図４】
0006404185.tif 000005
【図５】
0006404185.tif 000006
【図６】
0006404185.tif 000007
【図７】
0006404185.tif 000008
【図８】
0006404185.tif 000009
【図９】
0006404185.tif 000010
【図１０】
0006404185.tif 000011
【図１１】
0006404185.tif 000012
【図１２】
0006404185.tif 000013